(57)【特許請求の範囲】
【請求項１】
前面が開口したキャビネット本体の左右内側面に上下に間隔を開けてレール体を設け、各レール体に抽斗を出し入れ自在に支持し、各抽斗の外側面にストッパを突設し、キャビネット本体の内側に鍵棒を回動可能に縦設し、各ストッパに対応して鍵棒には複数個のフックを突設し、キャビネット本体に設けた施錠装置で鍵棒を回動させることにより、各フックを対応するストッパに対し係脱させるようにし、各抽斗又は各抽斗の出し入れに伴って前後に移動する部材にカム手段を設け、各々のカム手段に対応して鍵棒に複数個のアームを突設し、１つの抽斗が収納位置から前方に引き出されるときにカム手段でアームを鍵棒と共に回動させて他の抽斗のストッパにフックを係合させるようにした家具における抽斗のロック装置において、
上記アームと上記フックとを合成樹脂により一体成形し、
各レール体がキャビネット本体の左右内側面に固定した固定レールと、この固定レールに支持される可動レールとを有し、可動レールには抽斗を支持するローラが軸支され、このローラは抽斗が前方に引き出されるときに固定レールを転動することにより可動レールを前方に移動させるように構成され、前記カム手段は、可動レールの外側面とこの外側面に開口した窓部とからなり、前記アームは抽斗が収納位置にあるとき可動レールの窓部に係合するように構成されていることを特徴とする家具における抽斗のロック装置。
【請求項２】
前面が開口したキャビネット本体の左右内側面に上下に間隔を開けてレール体を設け、各レール体に抽斗を出し入れ自在に支持し、各抽斗の外側面にストッパを突設し、キャビネット本体の内側に鍵棒を回動可能に縦設し、各ストッパに対応して鍵棒には複数個のフックを突設し、キャビネット本体に設けた施錠装置で鍵棒を回動させることにより、各フックを対応するストッパに対し係脱させるようにし、各抽斗又は各抽斗の出し入れに伴って前後に移動する部材にカム手段を設け、各々のカム手段に対応して鍵棒に複数個のアームを突設し、１つの抽斗が収納位置から前方に引き出されるときにカム手段でアームを鍵棒と共に回動させて他の抽斗のストッパにフックを係合させるようにした家具における抽斗のロック装置において、
上記アームと上記フックとを合成樹脂により一体成形し、
前記カム手段が抽斗の外側面とこの外側面に開口した窓部とからなり、前記アームは抽斗が収納位置にあるとき抽斗の窓部に係合するように構成されていることを特徴とする家具における抽斗のロック装置。
【請求項３】
前記アームが前記鍵棒に固設された支持片と、前記窓部に対応して支持片に軸支されたローラとからなることを特徴とする請求項１又は２記載の家具における抽斗のロック装置。
【発明の詳細な説明】
【０００１】
【産業上の利用分野】
本発明は家具における抽斗のロック装置に関し、更に詳しくは、１つの抽斗が引き出されたときに他の抽斗を収納位置にロックすることができるロック装置に関する。
【０００２】
【従来の技術】
従来より、前面が開口したキャビネット本体の左右内側面に上下に間隔を開けてレール体を設け、各レール体に抽斗を出し入れ自在に支持したファイルキャビネット等の家具が用いられている。この種の家具においては、一般に、各抽斗の外側面にストッパが突設され、一方、キャビネット本体の内側には鍵棒が回動可能に縦設され、各ストッパに対応して鍵棒には複数個のフックが突設され、キャビネット本体に設けた施錠装置で鍵棒を回動させることにより、各フックを対応するストッパに対し係脱させるように構成されている。したがって、施錠装置をキーで操作して鍵棒をロック方向に回動させると、全てのフックが対応するストッパに係合するので、全ての抽斗を収納位置にロックすることができる。また、施錠装置をキーで操作して鍵棒をロック解除方向に回動させると全てのフックが対応するストッパから離脱するので、全ての抽斗が引き出し自在となる。
【０００３】
ところが、このような家具においては、１つの抽斗が引き出されたときに他の抽斗がロック解除状態にあるため、同時に複数個の抽斗が引き出されて家具の重量バランスが崩れ、家具が転倒れる虞れがあった。
【０００４】
そこで、本発明者は、施錠装置でロック及びロック解除操作される鍵棒を利用した簡単な構成を保持しつつ、１つの抽斗が引き出されたときに他の抽斗を収納位置に安全にロックすることができる家具における抽斗のロック装置（特願平５−３５２１６４号）を開発した。
【０００５】
【発明が解決しようとする課題】
上記ロック装置は、１つの抽斗が引き出されたときに他の抽斗を収納位置に安全にロックすることができるという点では優れている。しかるに、鍵棒に複数のフックに加えてローラを含む複数のアームとを装着する必要があり、部品点数が多くなり、製造工程における工数増加の要因をはらんでいた。したがって、部品点数を削減し、製造工程における工数を減少させるといった課題を有していた。
【０００６】
したがって、本発明の目的は、構造の簡単な抽斗のロック装置を提供することにある。
【０００７】
【課題を解決するための手段】
上記課題を解決するために、請求項１記載の発明は、前面が開口したキャビネット本体の左右内側面に上下に間隔を開けてレール体を設け、各レール体に抽斗を出し入れ自在に支持し、各抽斗の外側面にストッパを突設し、キャビネット本体の内側に鍵棒を回動可能に縦設し、各ストッパに対応して鍵棒には複数個のフックを突設し、キャビネット本体に設けた施錠装置で鍵棒を回動させることにより、各フックを対応するストッパに対し係脱させるようにし、各抽斗又は各抽斗の出し入れに伴って前後に移動する部材にカム手段を設け、各々のカム手段に対応して鍵棒に複数個のアームを突設し、１つの抽斗が収納位置から前方に引き出されるときにカム手段でアームを鍵棒と共に回動させて他の抽斗のストッパにフックを係合させるようにした家具における抽斗のロック装置において、上記アームと上記フックとを合成樹脂により一体成形し、各レール体がキャビネット本体の左右内側面に固定した固定レールと、この固定レールに支持される可動レールとを有し、可動レールには抽斗を支持するローラが軸支され、このローラは抽斗が前方に引き出されるときに固定レールを転動することにより可動レールを前方に移動させるように構成され、前記カム手段は、可動レールの外側面とこの外側面に開口した窓部とからなり、前記アームは抽斗が収納位置にあるとき可動レールの窓部に係合するように構成されていることを特徴とする。
【０００８】
また、請求項２記載の発明は、前面が開口したキャビネット本体の左右内側面に上下に間隔を開けてレール体を設け、各レール体に抽斗を出し入れ自在に支持し、各抽斗の外側面にストッパを突設し、キャビネット本体の内側に鍵棒を回動可能に縦設し、各ストッパに対応して鍵棒には複数個のフックを突設し、キャビネット本体に設けた施錠装置で鍵棒を回動させることにより、各フックを対応するストッパに対し係脱させるようにし、各抽斗又は各抽斗の出し入れに伴って前後に移動する部材にカム手段を設け、各々のカム手段に対応して鍵棒に複数個のアームを突設し、１つの抽斗が収納位置から前方に引き出されるときにカム手段でアームを鍵棒と共に回動させて他の抽斗のストッパにフックを係合させるようにした家具における抽斗のロック装置において、上記アームと上記フックとを合成樹脂により一体成形し、前記カム手段が抽斗の外側面とこの外側面に開口した窓部とからなり、前記アームは抽斗が収納位置にあるとき抽斗の窓部に係合するように構成されていることを特徴とする。
【０００９】
また、請求項３記載の発明は、請求項１又は２記載のロック装置において、アームが鍵棒に固設された支持片と、窓部に対応して支持片に軸支されたローラとからなることを特徴とする。
【００１０】
【作用】
請求項１記載のロック装置においては、施錠装置をキーで操作して鍵棒をロック方向に回動させると、全てのフックが対応するストッパに係合するので、全ての抽斗を収納一にロック（施錠）することができる。また、施錠装置をキーで操作して鍵棒をロック解除方向に回動させると全てのフックが対応するストッパから離脱するので、全ての抽斗が引き出し自在となる。さらに、１つの抽斗が収納位置から前方に引き出されるときにカム手段でアームを鍵棒と共に回動させて他の抽斗のストッパにフックを係合させることができるので、１つの抽斗が引き出されたときに他の抽斗を収納位置に安全にロック（安全ロック）することができる。しかも、フックとアームとを一体成形しているので、部品点数を増大させることがなく、鍵棒の取付けも簡単になる。また、抽斗が前方に引き出されるときに可動レールの先端がキャビネット本体の前方に移動して抽斗を支持するので、各抽斗を前方に大きく引き出すことが可能となる。更には、カム手段が可動レールの外側面とこの外側面に開口した窓部とからなるので、抽斗の外側面にアームを係合させる窓部を形成する必要がなくなる。したがって、抽斗内部のファイル等の収納物にアームで傷を付けたり、抽斗の外側面の塗装面にアームが擦れて傷が付いたりすることを防止できる。
【００１１】
請求項２記載のロック装置においては、請求項１と異なるのは、カム手段が抽斗の外側面とこの外側面に開口した窓部とからなることであり、抽斗を支持するレール体を固定レールのみの簡単な構成にすることができる。
【００１２】
請求項３のロック装置においては、アームが鍵棒に固設された支持片と、窓部に対応して支持片に軸支されたローラとからなるので、１つの抽斗が引き出されるときに、ローラを窓部の端縁で回転させながら該ローラを窓部の外に容易に押し出すことができる。したがって、抽斗の安全ロック動作をスムーズに行うことができる。
【００１３】
【実施例】
以下、図面を参照して、本発明の実施例につき説明する。図１から図６までは、本発明にかかるロック装置をファイルキャビネットに適用した場合の一実施例を示したものである。はじめに図１〜図３を参照すると、ファイルキャビネットは、前面が開口したキャビネット本体に上下複数段の抽斗が出し入れ自在に収納されている。
【００１４】
図１に示すように、各抽斗２を支持するレール体は、キャビネット本体１の左右内側面（片側内側面のみ図示）に固定した断面略コ字形の固定レール３と、この固定レール３内に挿入されて支持される断面略コ字形の可動レール４とを有している。可動レール４の後端には固定レール３の上面部３ａの下面に当接するローラ５が軸支されており、また、可動レール４の前端近傍及び後端近傍にはそれぞれ固定レール３の底面部３ｂの上面に当接するローラ６が軸支されている。一方、各抽斗２の外側面には前後方向に延びる翼板７が突設されており、この翼板７の下面をローラ６の上面に当接させることにより抽斗２がローラ６の上面で支持されるようになっている。
【００１５】
上述したレール体構造によれば、抽斗２をキャビネット本体１の前方に引き出すとき翼板７がローラ６を回転させるので、ローラ６は固定レール３の底面部３ｂ上を転動し、これにより可動レール４がキャビネット本体１の前方に移動する。したがって、抽斗２をキャビネット本体１の前方に引き出したとき可動レール４の先端がキャビネット本体１の前方に移動して抽斗２を支持するので、各抽斗２を前方に大きく引き出すことが可能となる。
【００１６】
図１及び図２に示すように、キャビネット本体１の片側の内側には鍵棒８が回動可能に縦設されており、各抽斗２の外側面に突設したストッパ９に対応して鍵棒８には例えばＵ字状のフック１０が固設されている。
【００１７】
図１に示すように、キャビネット本体１には施錠装置１１が設けられている。この施錠装置１１はキャビネット本体１の天板１ａの上前面部と天板１ａの内側に固設された前補強板とに支持されて前後に移動可能となっている。図１はこの施錠装置１１がキャビネット本体１の前方に突出した解錠状態を示している。この施錠装置１１を後方に押し、施錠装置１１のキー差込部１１ａに差し込んだキー（図示せず）を回すと、施錠装置１１はその押し込まれた施錠位置にロックされるようになっている。施錠装置１１にはその後方に延びるレバー１２が取り付けられており、このレバー１２には前後方向に延びる長孔１２ａが形成されており、鍵棒８はその上端部を直角に屈曲されてアーム部８ａを形成しており、このアーム部８ａがレバー１２の長孔１２ａを貫通している。また、アーム部８ａの先端と前補強板との間に引張ばね１３が取り付けられている。
【００１８】
施錠装置１１が解錠位置にあるとき、図１及び図２に示すように、鍵棒８に固設されている各フック１０は各抽斗２のストッパ９から離脱している。施錠装置１１を後方に押すと、鍵棒８は引張ばね１３のばね力に抗して図１中時計回り方向に回動し、これにより各フック１０が各抽斗２のストッパ９に係合するので、全ての抽斗２が収納位置にロック（施錠）される。
【００１９】
図１に示すように、固定レール３と可動レール４の側壁部には抽斗２が収納位置にあるとき互いに合致する窓部３ｃ，４ａが設けられており、鍵棒８には固定レール３の側壁部の外側から可動レール４の窓部４ａに係合するアーム１４が設けられている。この実施例では、アーム１４は鍵棒８に固設された支持片１５と、可動レール４の窓部４ａに対応して支持片１５に軸支されたローラ１６とからなっている（図２）。
【００２０】
上記構成を有するファイルキャビネットの抽斗ロック装置においては、１つの抽斗２が収納位置から前方に引き出されるときに可動レール４が前方に移動するので、アーム１４のローラ１６が可動レール４の窓部４ａの端縁に当接し回転しながら可動レール４の外側面に乗り上げるので、鍵棒８がロック方向に回動し、図３に示すように他の抽斗２のストッパ９にフック１０が係合する。したがって、１つの抽斗２が引き出されたときに他の抽斗２を収納位置に安全にロック（安全ロック）することができる。
【００２１】
また、カム手段が可動レール４の外側面とこの外側面に開口した窓部４ａとからなるので、抽斗２の外側面にアーム１４を係合させる窓部を形成する必要がなくなる。したがって、抽斗２の内部のファイル等の収納物がアームで傷付いたり、抽斗２の外側面の塗装面にアーム１４が擦れて傷が付いたりすることを防止できる。
【００２２】
さらに、上記構成のロック装置では、鍵棒８の上端のアーム部８ａが施錠装置１１のレバー１２の長孔１２ａに係合しているので、１つの抽斗２が引き出されるときの安全ロック動作時にアーム部８ａはレバー１２の長孔１２ａ内を後方に移動し、施錠装置１１は突出（解錠）位置に保たれる。なお、このとき、施錠装置１１は引張ばね１３のばね力から開放されて前後に移動自在になる。機能上はこれで問題はないが、施錠装置１１のがたつきを防止するために、別のばね（図示省略）で施錠装置１１を突出（解錠）方向に付勢することもできる。また、レバー１２に長孔１２ａの代わりにアーム部８ａに適合する丸孔等を設けることもできる。
【００２３】
次に、図４から図６は本発明にかかるフック装置の特徴部分である成形部材１８を示す。図４において明瞭に理解されるように、該成形部材１８は、合成樹脂により全体を一体成形してなり、フック１０及びアーム１４とを一体に備える。該フック１０及びアーム１４は、図２及び図３について前記した機能を果たすものである。前記したように、アーム１４は、支持片１５と、支持片１５に軸支されたローラ１６とからなっている。フック１０は、断面長方形状の長孔状に形成されている。ローラ１６は、支持ピン１９によって支持片１５に回転自在に支持されている。
【００２４】
図４及び図５の（ａ）に示すように、柱状部２０は、上下のフック１０及びアーム１４の支持片１５を接続するために、成形部材１８の一部として一体に成形された部分である。フック１０の後方部１０ａ及び支持片１５の前方部１５ａは、柱状部２０を介して上下に連続し、後方部１０ａ、柱状部２０、及び前方部１５ａを通して、断面半円形の凹溝２１が形成されている。上記後方部１０ａはフック１０側の可撓部２２を介してフック１０側の取付部２３に連続し、上記前方部１５ａは支持片１５側の可撓部２４を介して支持片１５側の取付部２５に連続している。取付部２３は断面半円形の凹溝２６を備え、この凹溝２６は、可撓部２２が折曲することにより、後方部１０ａの凹溝２１と接合して断面円形の中空部を形成することができる。取付部２５は断面半円形の凹溝２７を備え、この凹溝２７は、可撓部２４が折曲することにより、前方部１５ａの凹溝２１と接合して断面円形の中空部を形成することができる。
【００２５】
一方、本実施例において使用される鍵棒８には、軸芯について相対する方向に対生する断面長方形の突起８ｂ、８ｂ及び８ｃ，８ｃが設けられている。突起８ｂ、８ｂに対応して、後方部１０ａには、凹溝２１に連続する断面長方形の凹部２８、２８が形成され、取付部２３には断面長方形の凹部２９が形成されている。
【００２６】
突起８ｃ，８ｃに対応して、前方部１５ａには、凹溝２１に連続する断面長方形の凹部３０、３０が形成され、取付部２５には断面長方形の凹部３１が形成されている。
更に、図４及び図５の（ｂ）から了解されるように、上記可撓部２２は薄肉状に形成されており、折曲が容易となっている。また、取付部２３は係合部３２を備えている。係合部３２は、可撓部２２が折曲して凹溝２６と凹溝２１とが接合したときに、フック１０と後方部１０ａとの間の係合孔３３に嵌合する。係合部３２は係合爪３２ａを有し、該係合爪３２ａは、係合孔３３内に設けた段部３３ａに係止される。また、係合部３２は、くびれ部３２ｂを有し、このくびれ部３２ｂは、係合孔３３の噛合突状３３ｂと噛み合う。
【００２７】
さらに、図４及び図５の（ｃ）から了解されるように、上記可撓部２４は薄肉状に形成されており、折曲が容易となっている。また、取付部２５は係合部３４を備えている。係合部３４は、可撓部２４が折曲して凹溝２７と凹溝２１とが接合したときに、支持片１５に設けた係合孔３５に嵌合する。係合部３４は係合爪３４ａを有し、該係合爪３４ａは、係合孔３５内に係止される。
【００２８】
上記構成の鍵棒８に成形部材１８を装着するときは、まず、凹溝２１に鍵棒８を配設する。この際、突起８ｂ、８ｂを凹部２８、２８に一致させ、突起８ｃ、８ｃを凹部３０、３０に一致させる。
【００２９】
その後、可撓部２２を折曲することにより、凹溝２６を後方部１０ａの凹溝２１と接合し、形成される円柱状の中空部に鍵棒８を格納する。この際、可撓部２２に近い凹部２８と凹部２９とが接合して形成される直方体状の中空部に一方の突起８ｂが格納される。また、他方の凹部２８は、係合部３２に近い部分の凹溝２６の端面２６ａと向かい合うが、この端面２６ａが凹部２９と同程度セットバック（図５の（ｂ）中Ｗａ）している。これによって、凹部２８と端面２６ａとによって形成される間隙に他方の突起８ｂが格納される。この状態において、係合部３２は係合孔３３に嵌合し、係合部３２の係合爪３２ａが段部３３ａに係止される。以上によって、成形部材１８のフック１０側の装着操作が完了する。
【００３０】
また、可撓部２４を折曲することにより、凹溝２７を前方部１５ａの凹溝２１と接合し、形成される円柱状の中空部に鍵棒８を格納する。この際、可撓部２４に近い凹部３０と凹部３１とが接合して形成される直方体状の中空部に一方の突起８ｃが格納される。また、他方の凹部３０は、係合部３４に近い部分の凹溝２７の端面２７ａと向かい合うが、この端面２７ａが凹部３０と同程度セットバック（図５の（ｃ）中Ｗｂ）している。これによって、凹部３０と端面２７ａとによって形成される間隙に他方の突起８ｃが格納される。この状態において、係合部３４の係合爪３２ａが係合孔３５に係止される。以上によって、成形部材１８の支持片１５側の装着操作が完了する。
【００３１】
以上のようにして鍵棒８に成形部材１８を装着した状態を図６に示す。
なお、上記フック１０側の装着操作と支持片１５側の装着操作とは順序を入れ替えて行うことも勿論できる。
【００３２】
上記構成のフック装置では、フック１０と支持片１５を含むアーム１４とを単一の部材としているので、部品点数を増大させることがない。また、鍵棒８を成形部材１８に格納（内蔵）するための操作は、凹溝２１に鍵棒８を配設し、フック１０側の取付部２３を可撓部２２で折曲し、支持片１５側の取付部２５の可撓部２４を折曲するのみで良く、製造工程上の負担となることはない。さらに、鍵棒８に設けた突起８ｂを取付部２３と後方部１０ａによって形成される空間（中空部又は間隙）に位置させ、突起８ｃを取付部２５と前方部１５ａによって形成される空間（中空部又は間隙）に位置させることによって、成形部材１８を鍵棒８に簡易な構造により固定することができる。また、係合部３２の係合爪３２ａが段部３３ａに係止させ、係合部３４の係合爪３２ａが係合孔３５に係止させることによって、取付部２３、２５を後方部１０ａ、前方部１５ａから容易に離脱することがないように固定することができる。
上記のようにして鍵棒８に抽斗の段数に応じて複数の成形部材１８を装着することができる。
【００３３】
以上、図示実施例につき説明したが、本発明は上記形態にのみ限定されるものではなく、各構成要素の形状等に種々の変更を加えることが可能である。
【００３４】
【発明の効果】
以上の説明から明かなように、本発明によれば、施錠装置でロック及びロック解除操作される鍵棒を利用した簡単な構成を保持しつつ、１つの抽斗が引き出されたときに他の抽斗を収納位置に安全にロックすることができ、さらに、部品点数を削減し、製造工程における工数減少も図ることのできる家具における抽斗のロック装置を提供することができる。
【図面の簡単な説明】
【図１】  本発明にかかるロック装置を設けたファイルキャビネットの要部分解斜視図である。
【図２】  本発明のロック装置を設けたファイルキャビネットの一部を破断した要部横断面平面図である。
【図３】  本発明のロック装置を設けたファイルキャビネットのロック装置の作動状態を示す図２と同様の図である。
【図４】  本発明にかかるロック装置で使用する成形部材の実施例を説明する全体斜視図である。
【図５】  （ａ）は、本発明にかかるロック装置で使用する成形部材の実施例を説明する正面図である。
（ｂ）は、本発明にかかるロック装置で使用する成形部材の実施例を説明する（ａ）のＢ―Ｂ線による断面図である。
（ｃ）は、本発明にかかるロック装置で使用する成形部材の実施例を説明する（ａ）のＣ―Ｃ線による断面図である。
【図６】  本発明のロック装置に使用する鍵棒に成形部材を装着した状態を説明する斜視図である。
【符号の説明】
１    キャビネット本体
２        抽斗
２ａ      窓部
３        固定レール
４        可動レール
４ａ      窓部
６        ローラ
７        翼板
８        鍵棒
８ａ      アーム部
９        ストッパ
１０        フック
１１        施錠装置
１２        レバー
１２ａ      長孔
１３        引張ばね
１４        アーム
１５        支持片
１６        ローラ
１７        レバー
１８        成形部材
１９        支持ピン
２０        柱状部
２１        凹溝
２２        可撓部
２３        フック側の取付部
２４        可撓部
２５        支持片側の取付部
２６        凹溝
２７        凹溝
２８        凹部
２９        凹部
３０        凹部
３１        凹部
３２        係合部
３２ｂ      くびれ部
３３        係合孔
３３ｂ      噛合突状
３４        係合部
３４ａ      係合爪
３５        係合孔
【図１】
0003690755.tif 000002
【図２】
0003690755.tif 000003
【図３】
0003690755.tif 000004
【図４】
0003690755.tif 000005
【図５】
0003690755.tif 000006
【図６】
0003690755.tif 000007